(57)【要約】      （修正有）【課題】箱体形成片を組み立てるだけで蓋片の封止が可能であり、開封が容易で繰り返しの再封が可能な開封補助機能付包装用箱を提供する。【解決手段】互いに平行に連接された側面１４，１６等と、開口部を閉鎖する蓋片６２を有する。蓋片６２の先端に、差込口７０が形成された差込片６６を有する。側面１４の側面上端部から延出し、蓋片６２が閉じられて差込片６６が側面１４の裏面側に差し込まれた状態で、差込口７０に入れて係止されるロック片３２を備える。ロック片３２の基端部から連続する側面１４の一部に、ロック片３２を保持した連結部３４と、連結部３４の両側であって側面上端部と平行な一対の破断線４４を備える。破断線４４の一方の端部の側面１４には、側面上端部に開口した摘み用開口４０を有し、摘み用開口４０に連結部３４から突出した摘み部４２が位置している。【選択図】図１
0003177477.tif 000002
【実用新案登録請求の範囲】
【請求項１】
一枚のブランクシートから一体的に打ち抜かれた箱体形成片から成り、
前記箱体形成片には、互いに平行に連接された側面と、前記側面同士を糊付けして筒体に組み立てる糊付片と、前記側面の一つに折罫線を介して連接され前記側面の筒体の開口部を閉鎖する蓋片と、前記蓋片の先端に折罫線を介して連接し前記折罫線の一部に差込口が形成された差込片と、前記蓋片が設けられている側面に対して平行な側面の側面上端部から延出して設けられ、前記蓋片が閉じられ前記差込片がこの側面の裏面側に差し込まれた状態で、前記差込口に対向し前記差込口に挿入され係止されるロック片とを備え、
前記ロック片の基端部から連続する前記側面の一部に、前記ロック片を保持した連結部と、この連結部の両側であって前記側面上端部と平行に一対の破断線が設けられ、前記連結部の前記一対の破断線の一方の端部の前記側面には、前記側面上端部に開口した摘み用開口が設けられ、この摘み用開口に前記連結部から突出した摘み部が位置していることを特徴とする開封補助機能付包装用箱。
【請求項２】
前記連結部の前記摘み部とは反対側の端部は、前記側面上端部に達した切込線が設けられ、前記連結部を前記破断線により破断することにより、前記連結部を前記側面から分離し、前記ロック片も前記連結部から分離される請求項１記載の開封補助機能付包装用箱。
【請求項３】
前記ロック片の破断線より外側の端部が、前記差込片の差込口の段部に係止されて固定される請求項２記載の開封補助機能付包装用箱。
【考案の詳細な説明】
【技術分野】
【０００１】
この考案は、ロック片の差し込みにより封止可能であって、開封用の摘みを備えた開封補助機能付包装用箱に関する。
【背景技術】
【０００２】
従来、商品を収容して店頭に陳列する包装用箱には、厚紙等の一枚のブランクシートから一体的に打ち抜かれた箱体形成片を組み立てたものがあり、４枚の側面が連接して設けられて筒体に組み立てられ、側面の一方の端部には底部が形成され、他方の端部には蓋部が設けられ、開口を開閉可能に閉鎖している。蓋部は、商品収容後に改ざん防止のために、封止される。
【０００３】
例えば、特許文献１には、蓋片が設けられている側面に対して平行な側面の端部に延出して設けられた差込片と、この側面の裏面側に差込片が差し込まれた状態で、差込片と蓋片の境界に形成された差込口に挿入されて係止される係止片を有し、係止片が延出した側面の端部の一部に設けられ、係止片に接する部分を囲むように設けられた取外部を備えた包装用箱が開示されている。この取外部は、側面の一部が破断線で区切られ、蓋片を開けるときは、取外部の破断線を切断して前記取外部を前記係止片と共に前記側面から外すものである。
【先行技術文献】
【特許文献】
【０００４】
【特許文献１】実用新案登録第３１４９１４０号公報
【考案の概要】
【考案が解決しようとする課題】
【０００５】
上記背景技術の特許文献１に開示された包装用箱の場合、取外部が係止片を囲むように大きく形成され、係止片を取外部により除去した状態では、側面上端部には大きな切り欠き開口部が形成され、蓋片の差込片を差し込んでも、安定に係止されず再封性が低いものであり、開口部から埃が入りやすいものであった。しかも、開封時に取外部を保持して破断する操作がし難く開封等の操作性も悪いものであった。
【０００６】
この考案は、上記従来の技術の問題点に鑑みてなされたものであり、箱体形成片を組み立てるだけで蓋片の封止が可能であり、開封が容易で繰り返しの再封が可能な開封補助機能付包装用箱を提供することを目的とする。
【課題を解決するための手段】
【０００７】
この考案は、一枚のブランクシートから一体的に打ち抜かれた箱体形成片から成り、前記箱体形成片には、互いに平行に連接された側面と、前記側面同士を糊付けして筒体に組み立てる糊付片と、前記側面の一つに折罫線を介して連接され前記側面の筒体の開口部を閉鎖する蓋片と、前記蓋片の先端に折罫線を介して連接し前記折罫線の一部に差込口が形成された差込片と、前記蓋片が設けられている側面に対して平行な側面の側面上端部から延出して設けられ、前記蓋片が閉じられ前記差込片がこの側面の裏面側に差し込まれた状態で、前記差込口に対向し前記差込口に挿入され係止されるロック片とを備え、前記ロック片の基端部から連続する前記側面の一部に、前記ロック片を保持した連結部と、この連結部の両側であって前記側面上端部と平行に一対の破断線が設けられ、前記連結部の前記一対の破断線の一方の端部の前記側面には、前記側面上端部に開口した摘み用開口が設けられ、この摘み用開口に前記連結部から突出した摘み部が位置している開封補助機能付包装用箱である。
【０００８】
前記連結部の前記摘み部とは反対側の端部は、前記側面上端部に達した切込線が設けられ、前記連結部を前記破断線により破断することにより、前記連結部を前記側面から分離し、前記ロック片も前記連結部から分離されるものである。
【０００９】
前記ロック片の破断線より外側の端部が、前記差込片の差込口の段部に係止されて固定されるものである。
【考案の効果】
【００１０】
この考案の開封補助機能付包装用箱は、簡単な構造で開封補助機能を持たせ、開口部の封止に別部材が不要でコストが安価であり、開封操作も容易なものである。さらに、不正な開封が行われると、確実に開封跡が残り、高い改ざん防止効果を有する。そして、開封が容易で、繰り返しの再封が可能な開封補助機能付包装用箱を提供することができる。
【図面の簡単な説明】
【００１１】
【図１】この考案の一実施形態の開封補助機能付包装用箱の蓋片を開けた状態の斜視図である。
【図２】この実施形態の開封補助機能付包装用箱の展開図である。
【図３】この考案の他の実施形態の開封補助機能付包装用箱の蓋片を開けた状態の斜視図である。
【図４】この実施形態の開封補助機能付包装用箱の展開図である。
【考案を実施するための形態】
【００１２】
以下、この考案の実施形態について図面に基づいて説明する。図１，図２はこの考案の一実施形態を示すもので、この実施形態の開封補助機能付包装用箱１０は、紙製等の一枚のブランクシートから打ち抜かれて形成された箱体形成片１２を組み立てて形成されている。
【００１３】
図２は、箱体形成片１２を表面から見た展開図であり、箱体形成片１２は、側面１４，１６，１８，２０が、互いに平行に連接して形成され、各側面は、連接方向と直角の縦方向の長さが連接方向の幅方向の長さよりも長いものである。さらに、側面１４の側縁部には、開封補助機能付包装用箱１０の組立状態で側面２０の裏面に糊付けされる糊付片２２が設けられている。そして、糊付片２２、側面１４，１６，１８，２０は、各々折罫線２４，２６，２８，３０で区切られている。
【００１４】
側面１４において、側面どうしの連接方向に対して直角な方向の上方の側面上端部１４ａには、ロック片３２が延出して設けられている。ロック片３２は、側面上端部１４ａの中央に設けられ、側面上端部１４ａの外側へ一定幅で突出し両角部が丸く面取りされている。
【００１５】
側面上端部１４ａ側には、ロック片３２の基端部に連続した連結部３４が設けられている。連結部３４には、ロック片３２の基端部の中心よりも折罫線２６寄りの側面１４に、側面上端部１４ａから延長して側面１４の中心方向に向かう切込線３６と、さらに切込線３６の端部から側面１４の下端に向かって直角に切込線３８が連続して形成されている。連結部３４を挟んで切込線３８とは反対側の、折罫線２４に近い位置は、側面１４の一部を切除し側面上端部１４ａに開口した摘み用開口４０が形成されている。
【００１６】
摘み用開口４０と切込線３８に挟まれた連結部３４には、摘み用開口４０に突出した摘み部４２が設けられ、側面上端部１４ａの延長上及び側面上端部１４ａと平行な位置には、互いに対向した一対の破断線４４が形成され、後述する封止動作及び開封操作を容易にしている。一対の破断線は、先端部が互いに近づくように屈曲し、破断が確実に行われるように形成されている。
【００１７】
側面１４の、側面上端部１４ａと反対側の端部には、底部を形成する第一底蓋片４６が折罫線４８で区切られて設けられている。第一底蓋片４６は、折罫線４８を下底とする略台形状に形成され、折罫線２４に連続する辺は直線であり、折罫線２６に連続する辺は途中まで直線の折罫線５２であり、直線よりも先端部分は外側に膨出する曲線４６ａにより形成されている。第一底蓋片４６の、折罫線２６に連続する辺の直線の折罫線５２と曲線４６ａの境界と、折罫線４８との間の距離は、開封補助機能付包装用箱１０の組立状態で底部の中心に達する長さとほぼ等しい。第一底蓋片４６の、折罫線２６に連続する辺の直線部分には、略三角形の底部糊付片５０が折罫線５２で区切られて設けられ、第一底蓋片４６の折罫線５２とその延長上の曲線４６ａとの間の部分は、第一底蓋片４６側に食い込んだ係止部５３となっている。
【００１８】
側面１６の、側面上端部１４ａに隣接する端部には、上フラップ５４が折罫線５６で区切られて設けられている。上フラップ５４は矩形に形成され、折罫線２６側の先端の角部が矩形に切り欠かれている。側面１６の折罫線５６と反対側の端部には、底部を形成する台形状の底フラップ５８が折罫線６０で区切られて設けられている。
【００１９】
側面１８の、側面１６の折罫線５６に隣接する端部には、矩形の蓋片６２が折罫線６４で区切られて設けられている。蓋片６２の折罫線６４とは反対側の端部には、さらに差込片６６が折罫線６８で区切られて設けられている。折罫線６８には、ロック片３２が差し込まれる差込口７０が設けられている。差込口７０は、開封補助機能付包装用箱１０の組立状態で側面１４のロック片３２が対向する位置に設けられ、折罫線３０に少し近い位置に設けられている。差込口７０は、折罫線６８よりもわずかに差込片６６側へ平行移動した切断線で設けられ、切断線の形状は差込片６６へ突出する凸状に形成され段部７０ａが設けられている。
【００２０】
蓋片６２の折罫線６４側には、折罫線６４に接して吊り下げ部６５が、略コ字状に形成された破断線６７で囲まれて設けられている。破断線６７の開口部は折罫線６４に接している。吊り下げ部６５の中央部には、吊り下げ孔用切り込み６９が、半円状の一対の破断線により形成されている。
【００２１】
側面１８の、折罫線６４と反対側の端部には、底部を形成する第二底蓋片７２が折罫線７４で区切られて設けられている。第二底蓋片７２は、折罫線７４を下底とする略台形状に形成され、折罫線２８に連続する辺は直線であり、折罫線３０に連続する辺は途中まで直線の折罫線７８であり、直線よりも先端部分は外側に膨出する曲線７２ａにより形成されている。第二底蓋片７２の、折罫線３０に連続する辺の直線の折罫線７８と曲線７２ａの境界と、折罫線７４との間の距離は、開封補助機能付包装用箱１０の組立状態で底部の中心に達する長さとほぼ等しい。第二底蓋片７２の、折罫線３０に連続する辺の直線部分には、略三角形の底部糊付片７６が折罫線７８で区切られて設けられている。
【００２２】
側面２０の、側面１８の折罫線６４に隣接する端部には、上フラップ８０が折罫線８２で区切られて設けられている。上フラップ８０は矩形に形成され、折罫線３０と反対側の先端の角部が矩形に切り欠かれている。側面２０の折罫線８２と反対側の端部には、底部を形成する台形状の底フラップ８４が折罫線８６で区切られて設けられ、第二底蓋片７２の折罫線７８とその延長上の曲線４６ａとの間の部分は第一底蓋片４６側に食い込んだ係止部７９となっている。
【００２３】
次に、この実施形態の開封補助機能付包装用箱１０の組立方法の一例について説明する。なお、ここで図２が開封補助機能付包装用箱１０の箱体形成片１２の表面を見たものであり、箱体形成片１２の表面が凸になる折り方を正折り、そして裏面が凸になる折り方を逆折りと称する。
【００２４】
まず、折罫線４８，６０，７４，８６を正折りし、折罫線５２，７８を逆折りし、底部糊付片５０，７６の裏面に接着剤である糊を塗布する。そして、糊付片２２の表面にも糊を塗布する。そして、折罫線２６を正折りし、折罫線３０を正折りする。これにより、糊付片２２の表面が糊により側面２０の側縁部裏面に糊付けされ、底部糊付片５０の裏面が底フラップ５８の表面に、底部糊付片７６の裏面が底フラップ８４の表面に各々糊付けされる。これにより折り畳み状態となり、この状態で開封補助機能付包装用箱１０が商品を収容する工場等に出荷される。
【００２５】
次に、収容物を収容し包装する工場等において、折罫線２４，２６，２８，３０を各々９０°に正折りして四角形の箱体にする。このとき、第一底蓋片４６の底部糊付片５０は底フラップ５８に、第二底蓋片７２の底部糊付片７６は底フラップ８４に糊付けされているため、二つ折りされていた折罫線４８，６０，７４，８６が、自動的に引き起こされてほぼ９０°に開き、開封補助機能付包装用箱１０の底部が形成される。箱体底部の形成に際して、第一底蓋片４６と第二底蓋片７２の外側に膨出する曲線４６ａ，７２ａが、組み立て途中で互いに当接し弾性変形しながら乗り越えて、組み立て後に弾性変形が復元して係止部５３，７９が互いに嵌合してロックされ、底部の形状を保つ。これにより図１に示す状態となる。
【００２６】
次に、図１に示すように組み立てられた側面１４，１６，１８，２０と底部から成る箱体の内側に商品を入れ、折罫線５６，８２で上フラップ５４，８０を９０°に正折りし、折罫線６４で蓋片６２を９０°に正折りし、差込片６６を折罫線６８で正折りし、差込片６６を側面１４の裏面側に差し込んで係止し、上面開口部が閉じられる。
【００２７】
この後、側面１４の連結部３４を下側の破断線４４で適当な角度に逆折りして、ロック片３２と連結部３４を側面１４から引き起こすとともに、ロック片３２を、上側の破断線４４で連結部３４に対してほぼ９０°に正折りし、連結部３４を元に戻しながら、ロック片３２を蓋片６２の差込口７０に差し込む。このとき、ロック片３２が、差込片６６の差込口７０の凸形状により形成された段部７０ａに係止されてロックされる。
【００２８】
開封する際は、連結部３４の摘み片４２を摘んで破断線４４を破断し、連結部３４を切除する。これにより、蓋片６２が引き上げ可能となり、蓋片６２を上方に引き上げて開封する。
【００２９】
なお、破断線４４を破断せずに、ロック片３２を引き抜いて無理に開封しようとしても、ロック片３２は差込口７０の段部７０ａに当接し、差込口７０や連結部３４を変形させたり一部を破損しない限り開封できない。従って、不正な開封が行われると、確実に開封跡が残り、確実な改ざん防止効果を有する。
【００３０】
この実施形態の開封補助機能付包装用箱１０によれば、簡単な構造で箱体形成片１２を組み立てるだけで、蓋片６２の封止が可能であり、封止用のテープや糊付けが不要であり、改ざん防止機能も持たせることができる。開封するときは、摘み部４２を摘んで引き起こすだけで簡単に破断線４４を破断してロック片３２のロックを解除することができる。
【００３１】
なお、この考案は上記実施形態に限定されるものではなく、図３，図４に示すように、横幅の広い包装用箱にも適用可能なものであり、幅広の側面１４，１８に合わせて、連結部３４が長く形成され、ロック片３２の幅も連結部３４の両側に広く形成され、破断線４４の長さも長くなっている。この実施形態の開封補助機能付包装用箱１０も、上記実施形態と同様に蓋片６２の封止及び開封動作を行うことができるものであり、開封が容易で、改ざん防止効果も有している。
【００３２】
その外、各側面の大きさや形状、底部の構造等、自由に変更可能であり、蓋片とロック片は、互いに対向している一対の側面に設けられていればよく、上記以外の側面に設けられても良い。ロック片、連結部、取外部等の形状は、適宜変更可能である。
【符号の説明】
【００３３】
１０  開封補助機能付包装用箱
１２  箱体形成片
１４，１６，１８，２０  側面
２２  糊付片
３２  ロック片
３４  連結部
３６，３８  切込線
４０  摘み用開口
４２  摘み部
４４  破断線
６２  蓋片
６６  差込片
７０  差込口
７０ａ  段部
【図１】
0003177477.tif 000003
【図２】
0003177477.tif 000004
【図３】
0003177477.tif 000005
【図４】
0003177477.tif 000006